(57)【特許請求の範囲】
【請求項１】
音声信号によって振動するコーン状の振動板の裏面側をフレームで支持し、前記フレームを、前記振動板を覆って保護するように設けたフロントパネルに取り付けるようにした、天井面に取り付けられる外部露出型スピーカにおいて、
前記コーン状の振動板の周縁部を支持する前記フレームは、前記振動板の背面に溜った水滴を切り取り窓または切り欠き溝から排出するための排水用通路を有し、前記フロントパネルは、前記切り取り窓または前記切り欠き溝から排出された水滴を下方へ排出させる排出孔を有し、
切り取り窓または切り欠き溝の一辺は、前記フレームの前記振動板を支持する面を含む面に位置することを特徴とする外部露出型スピーカ。
【発明の詳細な説明】
【０００１】
【発明の属する技術分野】
本発明は、天井面に設置される外部露出型スピーカに関する。
【０００２】
【従来の技術】
一般に、劇場のロビー、病院等の多くの人々が集合するような場所には、人々に対して種々の情報を伝達するために、スピーカが設置されている場合が多い。この種のスピーカとしては、上記した場所の天井部が、一般的にはコンクリート製の天井になっていることから、スピーカ設置のための穴等を形成できないので、外部露出型スピーカが用いられる。
この外部露出型スピーカは、スピーカベースをねじ等により天井面に取り付け固定し、このスピーカベースにスピーカ本体等を支持させるようにして全体を取り付けている。
【０００３】
【発明が解決しようとする課題】
ところで、上述したような外部露出型スピーカは、設置と配線の作業性を考慮した構造であるために、内部を密閉防水構造にすることが困難であり、この結果、スピーカ内部に入った蒸気や水分が凝集してスピーカコーン紙の下端周縁のエッジ部に溜り、これにより、スピーカの音圧が低下したり、異常音が発生したり、更にはスピーカの内部の構造部品に錆を誘発するなどの問題があった。
本発明は、以上のような問題点に着目し、これを有効に解決すべく創案されたものであり、本発明の目的は、スピーカの内部に発生した水滴を排出するようにして、配置と配線の作業性を損なうことなく、防水性能の高い外部露出型スピーカを提供することにある。
【０００４】
【課題を解決するための手段】
請求項１に規定する発明は、音声信号によって振動するコーン状の振動板の裏面側をフレームで支持し、前記フレームを、前記振動板を覆って保護するように設けたフロントパネルに取り付けるようにした、天井面に取り付けられる外部露出型スピーカにおいて、前記コーン状の振動板の周縁部を支持する前記フレームは、前記振動板の背面に溜った水滴を切り取り窓または切り欠き溝から排出するための排水用通路を有し、前記フロントパネルは、前記切り取り窓または前記切り欠き溝から排出された水滴を下方へ排出させる排出孔を有し、切り取り窓または切り欠き溝の一辺は、前記フレームの前記振動板を支持する面を含む面に位置することを特徴とする外部露出型スピーカである。
【０００５】
【発明の実施の形態】
以下に、本発明に係る外部露出型スピーカの一実施例を添付図面に基づいて詳述する。
図１は本発明の外部露出型スピーカの取り付けを説明する全体図、図２は外部露出型スピーカの分解斜視図、図３はスピーカ本体を示す部分断面側面図、図４はスピーカ本体を示す側面図、図５はスピーカ本体を示す平面図、図６は図５中のＡ部を示す拡大斜視図、図７はフロントパネルを示す平面図である。
図１に示すように、この外部露出型スピーカ２は、コンクリート等よりなる天井面４にネジ６により取り付けられている。この外部露出型スピーカ２は、上述のようにネジ６により実質的に天井面４に取り付け固定されるスピーカベース８と、このスピーカベース８に接続して支持される容器状のフロントパネル１０とに２分割可能になされている。このフロントパネル１０の周縁部には、複数の接続突起１２が設けられており、これを上記スピーカベース８の周縁部に設けた複数の接続溝１４に嵌め込んで回転させることにより、上記フロントパネル１０を接続した状態でロックできるようになっている。
【０００６】
図２に示すように、上記スピーカベース８には、ネジ１６により必要な電圧を得るトランス１８が取り付けられると共に、必要な配線回路を形成した基板２０もネジ２２により取り付け固定される。
また、上記フロントパネル１０には、スピーカ本体２４と安全ワイヤ２６がネジ２８によって取り付け固定される。
そして、図３及び図４に示すように上記スピーカ本体２４は、円錐状の骨組みになされたフレーム３０を有しており、フレーム３０内にコーン状の振動板３２を位置させ、この振動板３２の裏面側を上記フレーム３０で支持するようになっている。具体的には、このフレーム３０の下端の円環状のリング部３０Ａに、上記コーン状の下方がラッパ状に拡開された振動板３２の周縁部を接続して支持させている。上記振動板３２は、防水性を高めた、例えばポリプロピレン、ポリエステル等よりなる樹脂製の振動板、或いは防水性を高めた樹脂含浸紙により形成されている。この樹脂含浸紙は、例えばエポキシ、アクリル等の樹脂を含浸させることにより作成される。
【０００７】
上記フレーム３０の基部には、リング状の磁石３４を途中に介在させたヨーク３６が取り付けられており、この中心部の円柱状のセンタポール３８に、上記振動板３２の基部に設けた円筒状のボイスコイル４０を遊嵌状態で嵌め込むようにして形成されている。これにより、上記ボイスコイル４０に音声信号を流すことにより、上記磁石３４による磁界との相互作用で振動板３２が振動することになる。
また、この振動板３２の基部側は、ダンパ４２を介して上記フレーム３０側に弾性的に接続されて、支持されている。そして、上記振動板３２の裏面側には上記ボイスコイル４０に接続されたボイスコイルリード線（図示せず）が配設され、このボイスコイルリード線は金糸線４４を介して上記フレーム３０に設けた接続端子４６に接続されており、音声信号を外部より入力するようになっている。そして、上記金糸線４４は、その外周が柔軟性のある樹脂製チューブ４８により被せられて被覆されており、その防水性を高めるようになっている。
【０００８】
そして、図５及び図６にも示すうに、上記フレーム３０に本発明の特徴とする排水用通路５０が設けられる。この排水用通路５０は、上記振動板３２の背面（図３及び図４において上面側）に溜った水滴を排出するためのものである。具体的には、上記排出用通路５０は、上記フレーム３０の下端のリング部３０Ａに形成された幅が数１０ｍｍ程度の切り欠き溝５０Ａや縦が１０数ｍｍ程度、横幅が数１０ｍｍ程度の矩形状の切り取り窓５０Ｂ（図６参照）よりなり、これらの切り欠き溝５０Ａや切り取り窓５０Ｂから、上記コーン状の振動板３２の斜面側、すなわち背面側に流下してくる水滴を外側へ排出し得るようになっている。
【０００９】
本実施例では、図５に示すように、上記切り欠き溝５０Ａ及び切り取り窓５０Ｂは、それぞれ９０度だけ角度をずらして共にスピーカの中心に対して対称となるように１対ずつ設けている。これらの切り欠き溝５０Ａ或いは切り取り窓５０Ｂは、図５に示すように、それぞれ１対ずつ設けなくてもよく、少なくともそれぞれ一方を、対の状態で１対設ければよい。また、図５に示す場合よりも、更に多くの切り欠き溝５０Ａ或いは切り取り窓５０Ｂを設けるようにしてもよいし、或いは、１つの切り欠き溝５０Ａと１つの切り取り窓５０Ｂの組み合わせでもよい。
そして、上記スピーカ本体２４の下面を少なくとも覆うようにしてこれを内部に収容してこのスピーカ本体２４は前記フロントパネル１０に取り付け固定されてこれを保護するようになっており、図７に示すようにこのフロントパネル１０には、上記切り欠き溝５０Ａや切り取り窓５０Ｂから流出した水滴を下方へ排出させる排出孔５２が設けられている。この排出孔５２の形成位置は、上記スピーカ本体２５の周縁部に対応させており、図示例ではスピーカ中心に対して対称となるように１対（２個）設けられている。
【００１０】
このように、本発明では、振動板３２を支持するフレーム３０の周縁部に、切り欠き溝５０Ａや切り取り窓５０Ｂよりなる排水用通路５０を形成したので、上記コーン状の振動板３２の背面（図中において上面側）に付着した水滴はこの振動板３２の斜面に沿ってその裾部分である下端部（エッジ部）まで流下して、これより上記切り欠き溝５０Ａや切り取り窓５０Ｂを介して更に下方へ流出して行く。そして、この流出した水滴は、このスピーカ本体２４を保持するフロントパネル１０の下面に設けた排出孔５２へ流れ込んでこれより更に下方へ排出されてしまうことになる。
【００１１】
従って、上述したようにスピーカ内部に発生した水滴は、その外側へ排出されてしまうことになり、スピーカ内部に水滴が溜ることを防止でき、この結果、音圧が低下したり、異常音が発生したりすることを防止できるのみならず、スピーカの内部構造部品に錆が発生することも防止することが可能となる。
また、ここでは外部露出型スピーカを天井面に取り付けた場合を例にとって説明したが、これに限定されず、この外部露出型スピーカを例えば壁面等に取り付けるようにしてもよい。
【００１２】
【発明の効果】
以上説明したように、本発明によれば、スピーカ内部に水滴が溜ることを防止でき、この結果、音圧が低下したり、異常音が発生したりすることを防止できるのみならず、スピーカの内部構造部品に錆が発生することも防止することができる。
【図面の簡単な説明】
【図１】本発明の外部露出型スピーカの取り付けを説明する全体図である。
【図２】外部露出型スピーカの分解斜視図である。
【図３】スピーカ本体を示す部分断面側面図である。
【図４】スピーカ本体を示す側面図である。
【図５】スピーカ本体を示す平面図である。
【図６】図５中のＡ部を示す拡大斜視図である。
【図７】フロントパネルを示す平面図である。
【符号の説明】
２…外部露出型スピーカ、４…天井面、８…スピーカベース、１０…フロントパネル、２４…スピーカ本体、３０…フレーム、３２…振動板、３４…磁石、３６…ヨーク、４０…ボイスコイル、５０…排水用通路、５０Ａ…切り欠き溝、５０Ｂ…切り取り窓、５２…排出孔。
【図１】
0004513244.tif 000002
【図２】
0004513244.tif 000003
【図３】
0004513244.tif 000004
【図４】
0004513244.tif 000005
【図５】
0004513244.tif 000006
【図６】
0004513244.tif 000007
【図７】
0004513244.tif 000008